(57)【要約】【目的】釣針等に釣糸を結ぶ際に、指先とペンチを用いても強い緊締力は得られない。この発明は釣糸が千切れる程の引張力でも釣針等から抜けない結び目となると共に、作業後使用に供される釣糸の長尺部分には全く傷を生じないものである。【構成】基台１の一方の筒体２中に、固定面体３と該面に平行で前後進する移動圧迫面体５を内在し、この固定面体３と移動圧迫面体５の間を釣糸６を通す透孔７が筒体２に有り移動圧迫面体５移動用の圧迫用ハンドル８を備えた釣糸圧迫保持機構９があって釣糸６の一端を固定する。基台１の他方には釣糸６の他端を巻取ドラム１０の鍔の内側面１１の釣糸端留１２に係止させて巻付周面１４に巻き付け、該周面を回動させるラチェット部１５に係着の緊張用ハンドル１６と、逆転防止歯車１８と釣糸６の緊張開放用の爪外し杆１７とを有した釣糸緊張機構１９にて成る諸仕掛け結びの緊締装置。【選択図】図１
2009165458.tif 000002
【特許請求の範囲】
【請求項１】
基台（１）の一方端部に、筒体（２）があり、該筒体（２）内の軸線方向にはこの軸線と直交する固定面体（３）と、該固定面体（３）に対して平行で、ネジ（４）を有して回転して前後進する移動圧迫面体（５）とを内在させ、かつ、上記筒体（２）の略中央部には、上記固定面体（３）と上記移動圧迫面体（５）との間を、釣糸（６）を貫通させるために相対した透孔（７）を設けると共に、上記移動圧迫面体（５）を回転させるための圧迫用ハンドル（８）を備えた釣糸圧迫保持機構（９）があって、上記基台（１）の他方端部には、上記筒体（２）に対向して配置する巻取ドラム（１０）の鍔の内側面（１１）に釣糸端留（１２）を有し、ドラム回転支承軸（１３）を中心とし、上記釣糸圧迫保持機構（９）にて、上記釣糸（６）の一端近傍に採用する仕掛けを結んだ後に、その釣糸（６）の一端近傍部を圧迫保持固定した時に、上記釣糸（６）の他端部を上記釣糸端留（１２）に係止させた後に、上記釣糸（６）を緊張させるため上記巻取ドラム（１０）の巻付周面（１４）に巻付けてから、上記巻取ドラム（１０）を回動させるラチェット部（１５）に係着する緊張用ハンドル（１６）と、上記巻取ドラム（１０）の逆転防止並びに上記釣糸（６）の緊張を開放させるための爪外し杆（１７）とを備えた逆転防止歯車（１８）を有した釣糸緊張機構（１９）とにより構成したことを特徴とする諸仕掛け結びの緊締装置。
【請求項２】
釣糸圧迫保持機構（９）の筒体（２）を、基台（１）面に対し水平状に横設させた請求項１記載の諸仕掛け結びの緊締装置。
【請求項３】
釣糸圧迫保持機構（９）の筒体（２）を、基台（１）面に対し垂直状に立設させた請求項１記載の諸仕掛け結びの緊締装置。
【請求項４】
釣糸圧迫保持機構（９）の筒体（２）を挟んで、該筒体（２）とは回動自在で、相対して突出する突出腕（２０）の先端近傍に、上記筒体（２）と平行な釣針引掛け部（２１）を設けた請求項１乃至請求項３のいずれかに記載の諸仕掛け結びの緊締装置。
【請求項５】
釣糸圧迫保持機構（９）の筒体（２）の下方である両脚体（２２）間に、フック取付材（２３）を渡し、輪状仕掛類（２４）を引掛けるため開口部を上方にしたフック（２５）を設けた請求項１乃至請求項４のいずれかに記載の諸仕掛け結びの緊締装置。
【請求項６】
釣糸圧迫保持機構（９）の筒体（２）の下方である両脚体（２２）間に、棒体のフック取付材（２３）を渡し、更に該フック取付材（２３）とは回動自在で、相対して突出する突出腕（２０）の先端近傍に、上記筒体（２）と平行なサイドフック取付軸（２６）を渡し、該サイドフック取付軸（２６）に、回動自在で輪状仕掛類（２４）を引掛けるため開口可能部を上方にしたサイドフック（２７）を設けた請求項１乃至請求項５のいずれかに記載の諸仕掛け結びの緊締装置。
【請求項７】
釣糸圧迫保持機構（９）の筒体（２）に添う近傍に、固定して立設する把握棒（２８）を付加した請求項１乃至請求項６のいずれかに記載の諸仕掛け結びの緊締装置。
【請求項８】
釣糸緊張機構（１９）を、基台（１）の長さ方向へ移動して固定し得るように、スライド台用固定ネジ（２９）を有したスライド台（３０）上に配置した請求項１乃至請求項７のいずれかに記載の諸仕掛け結びの緊締装置。
【発明の詳細な説明】
【技術分野】
【０００１】  この発明は、魚等の釣りに用いる釣針や諸仕掛けを、釣糸に結び付けた際に、その結び目が外れぬよう強く緊締する装置であって、特に、大きな釣針の緊締に効果を発揮する。
【背景技術】
【０００２】  釣糸は、ラインとも言い釣竿から先の諸仕掛けを結び付けて用いるが、その用いる場所により材質が異なると共に、呼称もテグス又はハリスや道糸等のように異なる呼び方をするが、本発明では、総称である「釣糸」を用いて説明する。
そこで、釣針に釣糸を結び付ける際には大変な気を使って結び付けている。すなわち、針先が鋭く危険な故もあるが、食い付いた大魚が暴れることにより、結び目が抜けたり、切れたりして釣針と釣糸が分離してしまうからであり、そうならぬように緊締することが必須要件である。【０００３】  特に、大きなマグロのような大魚を釣る場合は、魚に力が有って魚の暴れが激しく、釣糸自体の強さと共に、釣針から釣糸が外れぬように、確りと結ぶことが肝要である。
それ故、従来大魚用として、例えば２ｍｍ径のハリスに強化チューブを被せたものを、釣針に６回巻き付けた後に、ペンチで挟んで両手で引っ張って緊締していた。
釣糸自体は、ポリアミドなりポリフッ化ビニリデン等でなるモノフィラメントや、金属や炭素繊維を含むもの、更には撚り合わせたもの、被覆を施したもの等々と、相当に引っ張り力に対しては強化されたものが多々見受けられるようになっている。【０００４】  それ故、丈夫になった釣糸だから、釣針から外れないようにさえすればよいのである。
したがって、昔から巻き付け強化のために多くの工夫がなされている。その工夫の殆どが、釣針のチモトに近い釣糸を結ぶ部分の改良であり、また、その多くはその箇所を他所よりも細くしたり、狭く扁平にしたりして、巻き付けてできた結び目が、その巻き付け場所から抜け落ちないようにする釣針自体を改良した多くの提案が見受けられる。【０００５】  ところが、釣針の改良ではなく、釣針への結び方そのものについて工夫した提案や先願例は少なく、殆どが、釣り人自身の手指によって結び付けられているのが実態である。
釣針へ釣糸を結び付ける作業は、針先があるために危険であり面倒な作業である。そこで、少しでも容易化しようと釣針を直接手指では持たずに、釣針を支え固定しおく道具があるが、結ぶ動作自体は手指により結び付ける場合と全く同じである。【０００６】  例えば、代表的な簡単な手巻き道具として、釣針を２本の棒状の合せ目で挟む針挟みピンがあって、その釣針を挟んだ２本の棒の根元から、筒状の締め付筒をスライドさせ、釣針を挟持固定させた後に、釣糸を巻き付ける発明の名称「釣り針とハリスの結び目を締めるピン」がある（例えば、特許文献１参照。）。【０００７】  また、結ぶ動作を手指によらないで特別の装置を用い、従来の結び器では締結後に残して使用に供されるハリス部分に傷が付き切れやすかった欠点を改善したものがある。
例えば、釣針のチモトを挟む溝のあるチモトセット台に対して、そのセットした釣針に向けて延設する曲折したハリス支持腕が、歯車を介して手動で回転して、このハリス支持腕の先端にあるハリスを、釣針に巻き付けて行く考案の名称「ハリ結び器」がある（例えば、特許文献２参照。）。【０００８】  上記の２例は、器具なり装置を用いて釣針に釣糸を結び付ける代表的な少ない先願例であり両者共に、動かぬよう固定した釣針に対して釣糸を結び付ける方法である。
【特許文献１】特開２００３−２１００９０号公報（［０００５］、図４）
【特許文献２】実登第３０８６８２８号公報（［００２７］、図１〜図４）
【発明が解決しようとする課題】
【０００９】  上記の特許文献１は、手指で釣針を保持する代わりに針挟みピンを用いただけであり、釣針に対する釣糸を結び付ける締め付け力は、手指で巻き付ける従来の場合と比べても大した相違を見出すことはできない。更に、特許文献２のような器具を用いても、釣針はチモトセット台にある溝に挟み込むだけであって、その釣針に対してハリス支持腕が周囲を回転して巻き付けるだけだから、この場合も大して強く巻き付けられるとは思えない。
【００１０】  このように、小さな釣針を保持させたものに対して、如何ようにして巻き付けても、強力な緊締力は得られ難いものである。
加えて、何かで釣糸を強く圧接したり摺動させたりすると、従来の結び器では，締結後に残して使用に供される釣糸部分にも傷が付き、そこから切れやすくなる欠点を生じたから、使用に供する釣糸の必要な長さ部分には全く傷が付かぬようにしなければならない。
【００１１】  この発明は、これらの欠点を解消して、採用する釣糸の引っ張り切断応力の範囲内ならば、すなわち、釣糸が引き千切れる直前までの引っ張り力でも、抜けることが絶対に起らない程の強い結び目となるよう工夫するのが目的である。
【００１２】  そこで、この目的を達成するための本発明装置の使用に際して必要な条件が一つある。それは、予め釣針やサルカン・フック等の諸仕掛類を、釣糸の一端近傍に手指にて結んで結び目を作った際に、その結び目から端まで１０〜２０ｃｍ程度の余裕部分が必要であることを前提とする。この余裕部分は緊締作業後に切断除去する。
【課題を解決するための手段】
【００１３】  先ず、この発明の基本的な構成と共に、主要な作用を図面に基づき説明する。ただし、同一機能を有する部分には、形状は異なっても同一符号を用いた。また、同等な部分が多数存在する場合には、幾つかを代表して符号を付した。
なお、図面はいずれも右利きの使用者用のものとして示してあるから、左利き用にはハンドル類を逆に配置するよう設計すればよいことは云うまでもない。
【００１４】  使用時状態として描いた図１、部分図である図２及び図７に示すように、長方形状とした基台１の一方端部近傍には、筒体２を、基台１上に２つの相対する脚体２２を介して短辺方向へ水平状に横設させ、その筒体２内の軸線方向には、この軸線と直交する固定面体３と、この固定面体３に対して平行で、かつ、ネジ４を有して回転して前後進する移動圧迫面体５とを内在させて釣糸圧迫保持機構９とする。
【００１５】  加えて、この釣糸圧迫保持機構９には、筒体２の略中央部に、固定面体３と移動圧迫面体５との間を、釣糸６を貫通させるために相対した透孔７を設けると共に、移動圧迫面体５を回転移動させるためのクランク状の圧迫用ハンドル８を備えている。
当然、筒体２の両端部は、基台１から立設する脚体２２によって支えられているし、固定面体３は、固定用ビス３１にて筒体２とは固着状態にある。
【００１６】  また、筒体２を、図８に示すように、基台１面に対して垂直状に立設させ、圧迫用ハンドル８の把手をリング体とするもよい。当然この場合は、脚体２２は不要となる代わりに直立した固定面体３の下端部を、基台１の裏面からボルト３２にて締結したものとした。
当然ながら、固定面体３は筒体２と図示省略した固定用ビス３１で固着状態にある。
【００１７】  基台１の他方には、前記釣糸圧迫保持機構９の筒体２に平行配置したドラム回転支承軸１３に、或る幅を持った比較的大径の巻付周面１４を有した巻取ドラム１０を軸承させたものが、スライド台３０を介して基台１から立設する片支持枠体３３によって確り固定されている。そして、この巻取ドラム１０の少なくとも片方の鍔の内側面１１の１ヶ所には釣糸６の他端部や緊締済の釣針３５を係止するための釣糸端留１２を有したものとした。
この釣糸端留１２は、三角板状物とし、その鋭角部に釣糸６の端部を引掛ける方法としてもよいが、図７に示すように画鋲に似た円板体の断面Ｈ状のものとする方が望ましい。
【００１８】  なお、この巻取ドラム１０を回転させるために、その片方の巻取ドラムの鍔３４の外側面には直棒状の緊張用ハンドル１６を設けているが、この緊張用ハンドル１６の操作が直接ドラム回転支承軸１３を回転させる構成とはなっていない。
すなわち、このドラム回転支承軸１３自体は、回転する軸体ではなく、巻取ドラム１０とその関連機構とを支えている静止棒体なのである。
【００１９】  そして、使用状態においては、採用する仕掛け（図１では釣針３５）を、釣糸６の一端近傍に手指で結んで結び目３６を生じさせた後に、この釣糸６の一端近傍を前記したように釣糸圧迫保持機構９にて保持固定させる。次に、その釣糸６の他端部を釣糸端留１２に係止させ、その後に巻取ドラム１０を回転させることになるが、両端を固定されている釣糸６は当然に直ぐ緊張状態になるから抵抗を生じ回転できなくなる。
【００２０】  この緊張機構の採用は、本発明の主要部の一つである。すなわち、緊張状態にある釣糸６により回転できなくなる巻取ドラム１０を、より強い力で強引に回動させるために、図４乃至図６に示すような釣糸緊張機構１９を設けた。
すなわち、巻取ドラム１０の片方の巻取ドラムの鍔３４の面部自体か、巻取ドラムの鍔３４面に固設させる円板状体には、図４に示すような棘歯輪３７を形成させるように多数の歯型を円状に連続配置させたものとする。図４では、棘歯輪３７を片方の巻取ドラムの鍔３４側面に直接設けたものとして描いた。
【００２１】  そして、この棘歯輪３７に咬合する図５に示すような一対の、一端部で回動自在とする追爪３８を、軸孔３９を中心に相対する位置に、緊張用ハンドル１６を周囲の一部に有するハンドル取付板４０に重ね合せて固定した追爪取付板４１に設けたものとしている。
しかも、追爪取付板４１には細溝を設けて、その中にスプリングバネ４２を有したものとした。このスプリングバネ４２は、追爪３８の長辺側面部を押圧するように配置されているから、このことによって、２箇所の追爪３８の先端部は常に図５の矢印のように外方向へ向くように付勢されていることになる。
【００２２】  図６は、図４と図５を合体して示したものである。すなわち、釣糸６を緊張させるための巻取ドラム１０を回動させるラチェット部１５を示したものである。
したがって、緊張用ハンドル１６を図６の両矢印方向において、右方向へ引く時は、一対の追爪３８が、それぞれ棘歯輪３７に咬合しているから、巻取ドラムの鍔３４を右の方へ回動又は回転させることとなる。
【００２３】  次に、緊張用ハンドル１６を左方向へ回せば、後述する逆転防止歯車１８によって巻取ドラム１０は静止しているので、今度は一対の追爪３８の先端は、スプリングバネ４２の付勢力に抗して棘歯輪３７の先端を次々と滑走通過して行き、緊張用ハンドル１６の押動を止めることによって、再びいずれかの棘歯輪３７に咬合することになる。これらの動作を繰り返し、釣糸６を緊張状態になるまでは軽く回転して巻き取れる。
【００２４】  そして、釣糸６が巻き取られ緊張状態になった時は、結び目３６は当然緊締されることになるから釣糸６を手指で触れ、その緊張度を感じ取り、十分ならば釣糸６を装置から取り外すことにする。そこで、緊張用ハンドル１６を設けた巻取ドラム１０の反対側の側面には逆転防止歯車１８が固設されている。加えて、巻取ドラム１０の逆転防止並びに釣糸６の緊張を開放させるための爪外し杆１７を備えた爪外し支持板４３は、ドラム回転支承軸１３に固定されているものとしていて、これらの部分全体を釣糸緊張機構１９とした。
【００２５】  この釣糸緊張機構１９の構成は、前述の棘歯輪３７とは各歯の向きが上下反対となる図９にて点線で示すような全体として円板状の逆転防止歯車１８が、巻取ドラム１０の片側の鍔３４に対してもビス４３等で一体となるように固定したものとしている。
したがって、ドラム回転支承軸１３に対しては回転自在である。
【００２６】  なお、この明細書においては、その作用の説明を、右利きの使用者が、この発明装置の釣糸圧迫保持機構９を向う側に、この釣糸緊張機構１９を手前側として位置して操作するものとして説明している。すなわち、使用者は、己の前に本発明装置の基台１を、縦方向に配置して、釣糸圧迫保持機構９の在る方を向う側すなわち前方とし、釣糸緊張機構１９を手前側すなわち後方として記述するものとする。
【００２７】  そこで、次に爪外しの手段を図１について見ると、スライド台３０を介して基台１から立設する片支持枠体３３に固定されたドラム回転支承軸１３に対して確り固定され、しかも、釣糸圧迫保持機構９の在る前方へ向け、斜め上方に延設する爪外し支持板４４を設けたものとしている。図１０もスライド台３０がないだけで同様である。
【００２８】  そして、その爪外し支持板４４の上方先端部には、図７及び図９にも示したような爪外し支持軸４５があり、該支持軸４５を一端として、そこから逆方向である後方へ延設して逆転防止歯車１８の最上端辺りの歯の一つに噛み合う逆転防止爪４６と、更に延長した二股状腕４７の先端にはＬ字状に屈折した短腕状の爪外し杆１７を有したものを設けた。
【００２９】  すなわち、爪外し支持板４４と二股状腕４７とは、その爪外し杆１７と共に自重にて常に逆転防止爪４６が逆転防止歯車１８の最上端辺りの歯の一つに噛み合うようになる。
したがって、釣糸６の緊張力に抗して緊張用ハンドル１６を手前である後方へ引けば、巻取ドラム１０は、図９にて右回転するに伴って逆転防止歯車１８も逆転防止爪４６を押し上げ噛み合いを外しながら右回転し、巻取ドラム１０の回転を止めることによって、逆転防止爪４６が逆転防止歯車１８に噛み合い逆転を防止することになるのである。
【００３０】  操作の最後として釣糸６を取り外す時は、爪外し杆１７を図９の矢印方向に指先にて押し上げれば、爪外し支持軸４５を支点にして、梃子作用で容易に逆転防止爪４６が逆転防止歯車１８の噛み合いから外れ、巻取ドラム１０は緊張していた釣糸６に引かれ、釣糸圧迫保持機構９の方である前方へ回動して釣糸６の緊張が解かれ緩むから、その後は釣糸６を本装置から取り外し、釣糸６の圧迫を受けた両端部近傍を切断して作業は完了となる。
【００３１】  なお、釣糸６の装着法として、図１のように巻取ドラム１０に対し、上方から右巻きに巻きつけても、図示とは逆に下方から左巻きに巻きつけても構わないことは説明するまでもないことである。当然ながら下方から左巻きに巻きつける場合は、上述した釣糸緊張機構１９に関するラチェット部１５等は、全く逆向きにする必要がある。
以上詳記した釣糸緊張機構１９と釣糸圧迫保持機構９とで構成したことを特徴として諸仕掛結びの緊締装置としたものを本発明の基本構成とする。
【００３２】  また、上記基本構成に付加するものが幾つかある。先ず、仕掛として釣針３５に釣糸６を結んだものに対しては、本発明装置で緊締中に万が一緊張した釣糸６が切れた場合、釣針３５が釣糸緊張機構１９の方へ素っ飛んで来て危険であるから、図１、図２、図８に見るように筒体２の両端近傍から筒体２とは回動自在で、相対して突出しお互いに内側へ湾曲した突出腕２０の先端近傍に、筒体２と平行な釣針引掛け部２１を設けたものとする。
なお、図１０と図１１に見るものは、両突出腕２０を直状のものとし釣針引掛け部２１を長尺なものとした例である。両者共に釣針３５は、釣針引掛け部２１に掛けて用いる。
【００３３】  本発明装置の使用開始時に、この釣針引掛け部２１に、予め釣針３５を引掛けておいてから釣糸６の端部近傍を圧迫保持するのである。勿論、筒体２を基台１面に対して垂直状に立設させたものについては、この釣針引掛け部２１が図８に見るように立設する筒体２を挟んだ両位置から突出するような形になることは云うまでもない。
【００３４】  なお、通常はラインと称する釣糸６には、テンビンやよりもどしとも言うサルカン等の輪状仕掛類２４の取り付けも行われる。その緊締作業の場合は、釣針３５の時と同じように行っても構わないが、図３や図１２及び図１３に示したように、予め釣糸圧迫保持機構９の突出腕２０を、筒体２を越えた向う側へ回転させてから行うようにすれば、釣針引掛け部２１が邪魔にならずに作業ができる。
【００３５】  加えて、図１と図２に示すように、筒体２を水平状に横設させたものには、圧迫用ハンドル８とは反対側の脚体２２から突き出た突出部分４８と一体部分辺りに、固定して立設する直棒の先端部を水平状に屈折させた把握棒２８を付加することが好ましい。
【００３６】  すなわち、使用時に使用者が図１の本装置の右側に居て、右手で手前へ緊張用ハンドル１６を強く引くことになるが、その際に、この把握棒２８を左手で握って腕を伸ばし張っていれば、装置全体が安定して力が入りやすくなるからである。
なお、把握棒２８を図１０及び図１１に示すように単なる直棒の場合は、把握棒２８を釣糸緊張機構１９とは反対方向へやや傾斜させて設ける方が握りやすく力も入れやすい。
【００３７】  更に、筒体２を水平状にしたものは、筒体２の透孔７を避けた辺りか、又は下方の両脚体２２間に、２０号以下の小さい釣針３５の場合や、サルカン等他の輪状仕掛類２４に対する釣糸６の緊締用とするために、フック取付材２３を設けて、そこに開口部を上方にしたフック２５を設けたものとする。この場合、諸形状のフック状仕掛けに対応するため、大きさの異なる複数のフック２５を設けるようにするもよい。図１及び図２のフック取付材２３は補強を兼ねて板状としたもので、図１０及び図１１のそれは棒体として示した。
【００３８】  この場合も、筒体２を垂直状に立設させたものでは、図８に見るように筒体２の表面から直接、その高さ方向に適当数のフック２５を突設させることになる。
当然ながら、フック２５の筒体２への植設は、釣針引掛け部２１の取り付け両腕の場合と共に、筒体２に内接している固定面体３の周側面上の一部分内とする。
【００３９】  フック２５とは一般に先端部が曲がった鉤状のものを云うが、長めの閉環状のもので、しかも一部分が押し下げて開放されるサイドフック２７と称するものがある。
そこで、閉環状である輪状仕掛類２４の釣糸６への緊締時には、このサイドフック２７を接続用に用いれば、その開放部分から装着し、そして開放部分を閉じることによって簡単には外れないようになり、作業時にはより安全性が向上することになる。
【００４０】  図１２に示したものが、このサイドフック２７をその開放される一部分を上向きとして採用したものであり、フック取付材２３から突出腕２０を経てサイドフック取付軸２６との２段の回動部を有したものである。
【００４１】  なお、基台１の後端短辺部に、大小幾つかの釣針保持部４９を設けておけば、緊締を終えた釣糸６の釣針３５を、この釣針保持部４９に引掛けておけるから危険防止となり安心して作業ができるようになるし、また、釣糸緊張機構１９を、基台１から直接立設させた図１０に示したようなものでも本来の目的は叶えられるし、更に、ドラム回転支承軸１３の保持を、片支持でなく両端支持としてもよいし、加えて、巻取ドラム１０と移動圧迫面体５の回転力を、人力に頼らないよう緊張用ハンドル１６や圧迫用ハンドル８に代えて、小型ギヤードモータを採用するようにしてもよいことは言うまでもなかろう。
【発明の効果】
【００４２】  この発明は、仕掛けを結んだ釣糸６の一端部を、筒体２の固定面体３と移動圧迫面体５との広い面積間で挟んで、圧迫用ハンドル８を回してネジ４締めするから、確実に圧迫固定することができるし、圧接面が平滑だから釣糸６が傷まず切断し難い。
そして、釣糸６の他端部は巻取ドラム１０の鍔の内側面１１に固定させ、その近傍に組み込まれたラチェット部１５である釣糸緊張機構１９の存在により、緊張用ハンドル１６を操作すると、釣糸６はその長さ方向へ強引に引っ張られるから、そのことにより結び目３６は強く締め付けられることとなる。
【００４３】  すなわち、従来行われている釣糸６の巻き付け方法は、被巻き付け物体の軸線に対し、直交方向に力を加え巻き付けながら締め行くのに対し、本発明は、どのような結び方をした結び目３６であっても、釣糸６はその長さ方向、すなわち、被巻き付け物体の軸線方向に強引に引っ張り、そのことにより結び目３６が強く緊締されることとなるのである。
したがって、その緊締度は、手巻きや、従来の巻き装置では絶対得ることのできない程の強さを発揮できることになるのである。
【００４４】  加えて、圧迫されて傷の付く釣糸６部分は、一端の近傍であって強く圧接される筒体２内の部分のみであり、この部分は本発明装置の使用後切断除去する。
他端においては、巻取ドラム１０の鍔の内側面１１の釣糸端留１２部分であり、本発明装置使用後に切断除去する部分は、この釣糸端留１２に係止した部分のみでよい。
勿論、釣糸端留１２部分へ係止するものが、釣糸６でなく釣針３５の場合は問題ない。
【００４５】  しかも、巻取ドラム１０の鍔の内側面１１に固定させた釣糸端留１２の形状が、断面Ｈ状の円板体としたものは、大きな釣針３５をＨ状の真中へ引掛けても、釣糸端留１２の縁である円板があるために、大きな釣針３５は横倒しとならない。
したがって、危険な針先が横方向へ傾くことがないので安全であると共に、釣糸６を巻付周面１４上に巻き付ける際に、釣糸６が釣針３５の針先に触れる虞がなく安心である。
【００４６】  すなわち、巻付周面１４上に巻きつけられた釣糸６部分は、その本発明装置使用中、大径の巻付周面１４上に巻きつけられた状態下で引っ張られるから、その引張力によって釣糸６は、巻付周面１４上を全長に亘って多少は摺動するが、その引張力は巻きつけられた釣糸６の全長部分に均等分散される形となるので、この巻き付け部分の釣糸６には全く傷が付かないのである。
したがって、作業後に残して使用に供する釣糸６の長さを、予め巻付周面１４上に巻き付くようにして作業に入ればよいのであり、如何なる長さにも対応が可能である。
【００４７】  例えば、同じ理屈で釣糸６の両端を引っ張る装置として、旋盤等に用いられる長ネジを用い、送りハンドルで前後進させる簡単な機構が考えられるが、これでは結び目３６は強く締結できても、作業後に残して使用に供する釣糸６の長さを十分に取るには、長ネジの長さが数ｍも必要であり、装置の設置上邪魔になりとても採用できるものではない。
本発明はこの点でも装置として設置場所を取らず好ましいものと云える。
【００４８】  また、釣針引掛け部２１を設けたものは、仕掛けが釣針３５の場合において、そこへ予め釣針３５を引掛けておいてから使用操作をすれば、万が一緊張した釣糸６が切れた場合であっても、釣針３５は釣針引掛け部２１に留まるから危険性は全くなく、安心して作業が出来るようになる。
【００４９】  しかも、図２及び図８のように両突出腕２０を互いに内側に湾曲させて、釣針引掛け部２１を短くしたものは、２０号を超えて１５０〜２００号にも及ぶ例えばマグロ釣り用の大きな釣針３５用には、釣針３５の横移動を防ぎ、また、両側の突出腕２０が壁となるから、大きな釣針３５が、前述の釣糸端留１２の場合と同様に釣針引掛け部２１上にて横倒しのようになることをも防止できるので、より好ましいものとなる。
【００５０】  更に、水平状配設の筒体２は、筒体２の下方の両脚体２２間にフック取付材２３を設けて、開口部を上方にしたフック２５を設けたものとしたものは、小さい釣針３５やサルカンなど他の輪状仕掛類２４の場合にはここに引掛けて使用することができるようになり、垂直状配設の筒体２の場合も効用は同じである。
【００５１】  加えて、普通のフック２５に替えて、両脚体２２間の棒体であるフック取付材２３に突出腕２０を介したサイドフック取付軸２６に、サイドフック２７を取り付けたものは、回転軸が２段階あるから、使用時にはサイドフック２７が上方へ滑らかに湾曲し、釣糸６の結び目３６が、筒体２の透孔７と同等の高さになると共に、筒体２の透孔７から作業に適した距離の位置となるので緊締作業がやりやすくなり、しかも、前述したように、サルカンなど他の輪状仕掛類２４がサイドフック２７から外れる虞がないから安全性が高まる。
【００５２】  加えて、筒体２の適所に、立設した把握棒２８を有したものとすれば、使用時に右手で緊張用ハンドル１６を引く時、この把握棒２８を左手で握って腕を伸ばし張っていれば、装置全体が安定し、安心して緊張用ハンドル１６を操作する右手に力を入りやすくなる。
なお、操作終了時には、逆転防止歯車１８から爪外し杆１７を押し上げて外すことで、釣糸６の緊張度が緩むから、容易に本装置から取り外すことができるようになる。
【００５３】  更に加えて、釣糸緊張機構１９を、基台１から直接設けるのでなく、図１に見るようにスライド台３０を介したものとすれば、目的とする釣糸６の長さ等種類に応じて釣糸圧迫保持機構９との距離を、作業前に予め調整でき便利となる。
【発明を実施するための最良の形態】
【００５４】  この発明を実施するための最良の形態としては、海水中にて使用する物を対象とするだけに、できるだけ材料として錆の生じ難いステンレス製とするのが最も好ましく、また、前述の釣針引掛け部２１、フック２５や、把握棒２８を有したものとする。【００５５】  更に、フック２５の他に、両脚体２２間の棒体であるフック取付材２３に回転自在の両突出腕２０を介したサイドフック取付軸２６を設け、その中央部に回転自在なサイドフック２７を取り付けたものとするが望ましい。【００５６】  巻取ドラム１０の鍔の内側面１１の釣糸端留１２は、断面Ｈ状の画鋲状体とし、大きな釣針３５が横倒しとならないように、釣糸端留１２の縁である円板の直径を、取り扱う釣針３５の大きさに十分適応できるよう設計すべきであり、また大小２ヶ所設けてもよい。【００５７】  把握棒２８の形状は、単なる直棒でなく図１、図２及び図８に見るように先端部が水平状になるよう筒体２と平行状に屈折させた方が握りやすく力も入りやすい。
なお、各図示例のように、ラチェット部１５や逆転防止歯車１８のような咬合機構は、釣糸６が絡まぬように、できるだけ外観上表面に露出せぬよう組立て配置すべきである。【００５８】  筒体２の固定面体３と移動圧迫面体５は、釣糸６を圧接する面部であるから、平滑面とすることが肝要である。一般的には、引っ張りに対して抵抗が高まるように、波型等の凹凸面とした方が好ましいと思われるが、実際は釣糸６の表面に傷を生じやすくなって、切断の原因となり好ましくないのである。巻付周面１４も同様に滑らかな面とする。【００５９】  そして、釣針引掛け部２１は、前述した理由で図１と図２及び図８に見るように、筒体２を挟んだ両脇から、筒体２とは回動自在で相対して湾曲して突出する突出腕２０の先端近傍に幅が狭い釣針引掛け部２１を設けたものとする。
また、不使用時は自重でフック２５に邪魔にならない位置に下がるよう設計するべきである。なお、フック２５は様々な形式の仕掛があるから、それらに適用できるようなフック２５を幾つか備えることが望ましい。【００６０】  更には、釣糸緊張機構１９はスライド台３０を介したものとし、ハンドル取付板４０と巻取ドラムの鍔３４の間には、接触抵抗で緊張用ハンドル１６の動きがきつくならぬよう平形のスラストベアーリングを挿入するのが望ましいと言えよう。【００６１】  加えて、図示省略したが、緊張用ハンドル１６が、釣糸圧迫保持機構９の方へ傾いていて、自重で自然に、更に前方へ倒れて行かないように、緊張用ハンドル１６のあるハンドル取付板４０の側面に突出ピンを植設し、この突出ピンが片支持枠体３３の下方傾斜している前方縁辺部の適当位置に当接させて、それ以上は下降しないようにするがよい。
【実施例１】
【００６２】  次は、右利き用とした実施例１について図に基づき述べる。図１は筒体２を基台１面に対して水平状に配設した例であり、その基台１は、全長を４００ｍｍ、幅を１１０ｍｍ、高さを３０ｍｍとした。その上方に筒体２の中心軸の高さを１２０ｍｍとして、直径２７ｍｍ、長さを５０ｍｍ、透孔７の直径を６ｍｍとし、その筒体２の中に納まる大きさの固定面体３と、ネジ４にて回転する移動圧迫面体５を設けた。【００６３】  なお、固定体面体３と移動圧迫面体５は、釣糸６を圧接する面だけに、釣糸６を傷めて切断させぬよう鏡面のように平滑に仕上げたものとしたい。したがって、例えば図２に示すような一体形の移動圧迫面体５とはせずに、該面部とネジ４辺りの材質とは異質なものとして分割し、適当な慣用手段にて両者を結合させたものとするもよい。【００６４】  また、釣針引掛け部２１は、図２に示したように大魚用として鈎部の大きな釣針３５を掛けるものとし、直径を１０ｍｍ、長さを９ｍｍとして、突出腕２０の長さを筒体２の中心軸から回動自在で内側に湾曲して７７ｍｍ突出するように設けた。したがって、不使用時は自重でその侭垂れ下げておくか、図３のように筒体２の向う側へ回転させておく。
フック２５は、図１と図２では補強を兼ねて方形板としたフック取付材２３の中央部に１本だけの例で示したが、複数個を並べるとか上下に設けるなり適宜に設計すればよい。【００６５】  更に、固定用ビス３１の位置や、圧迫用ハンドル８及びネジ４関係については、特別に説明する必要もないが、把握棒２８の設置位置は、図１と図２に示したように、使用時に力の加わる筒体２の一端部である突出部分４８辺りがよいと思われるが、加えて同時に基台１面に固定するよう延長したものとしてもよいだろう。
以上が実施例１の釣糸圧迫保持機構９である。【００６６】  次に、釣糸緊張機構１９について説明する。巻取ドラム１０は巻取ドラムの鍔３４の直径を１２０ｍｍとし、幅を３３ｍｍとした周径が９８ｍｍの巻付周面１４とし、ドラム回転支承軸１３の高さを９８ｍｍとした。巻付周面１４の周径が約１００ｍｍだから、釣糸６が３ｍ．程なら１０回巻き付ければよいことになる。したがって、巻付周面１４の直径や幅を適当に設計すればよいのである。【００６７】  前述した構成のラチェット部１５は、ドラム回転支承軸１３の中心からの長さを１５５ｍｍとした緊張用ハンドル１６を、巻取ドラム１０の右側に、ラチェット部１５が表出しないよう裏面側となるよう配し、直径５４ｍｍの逆転防止歯車１８や爪外し杆１７は左側に配設し、片支持枠体３３にて幅１１８ｍｍ、高さ４０ｍｍ、長さ１４０ｍｍの平角筒状体としたスライド台３０上面に溶接にて固着させた。【００６８】  このスライド台３０の側面には、図７に示すようなスライド台用固定ネジ２９を有しており、適宜な位置に固定できるように、基台１の当該側面にはスライド台用固定ネジ２９の先端が合致するよう図示省略した凹部を適当間隔で設けている。すなわち、この平角筒状体のスライド台３０を基台１に挿通させて組立てたものとしている。
加えて、図３に示すように基台１の後端短辺部に、リング状とした大小２個の釣針保持部４９を設けてもよい。
なお、上述の殆どの部分の材質にステンレスを採用した。
【実施例２】
【００６９】  実施例２は、図８に示したように、基台１に対し垂直に立設する形式の釣糸圧迫保持機構９のことについてのものである。すなわち、実施例１の筒体２と同じものを直立させて直接基台１に固定し、脚体２２を不要としたものであり、他の釣針引掛け部２１、フック２５や、把握棒２８はそれなりの寸法とした点が変わるだけである。
ただし、圧迫用ハンドル８は、その把手を掌で掴む大きさのリング状のものとした。この方が上方から力を入れて回転させやすいからである。
【実施例３】
【００７０】  実施例３は、図１０及び図１１に示したものであり、上記各実施例と異なる点は、突出腕２０が直線状であり釣針引掛け部２１が長いこと、把握棒２８が単なる直棒体であり、フック取付材２３が棒体であること、そして、釣糸緊張機構１９にはスライド台３０がなく直接基台１にボルトで固定させ、釣針保持部４９がないものとしている点である。
【実施例４】
【００７１】  実施例４は、図１２に示したもので、採用したサイドフック２７が、フック取付材２３部とサイドフック取付軸２６部の２ヶ所で回動自在として上方へ引き上げられて、筒体２の透孔７と同等の高さの位置になる際に、ほぼ透孔７から突出腕２０の長さに相当する位置にサイドフック２７が来ることから、用いるサイドフック２７の大きさとの関連で、突出腕２０を適切な長さに設定するものとする。
【実施例５】
【００７２】  実施例５は、図１３に示したもので、使用時にはフック２５が矢印のように回動して上方へ引き上げられ、実施例４と同じように筒体２の透孔７と同等の高さの位置になるようにしたものである。すなわち、フック２５を先端に有して二股杆５０とした両端が、回動自在として透孔７を間にして筒体２に溶接等により固着させたものである。【００７３】  このような構成にしたものは、前述のフック取付材２３が不要となるし、フック２５を使用しない時は自重により図示のように下がって邪魔にならない。
また、図示省略したが、図８に似せて筒体２の透孔７を避けた固定面体３が内在する辺りに直接螺合等の手段で植設するのもよいだろう。
なお、フック２５に替えてサイドフック２７を用いてもよいことは云うまでもない。【００７４】  以上詳記のように、釣糸６を諸仕掛に強力に締結させることができ、しかも、締結作業後、使用に供する必要な長さの釣糸６部分には、全く傷の付く心配のない諸仕掛結びの緊締装置であるから安心して釣りを楽しむことができるようになる大変重宝な発明である。
【図面の簡単な説明】
【００７５】
【図１】  本発明の実施例にて、使用状態にて示した斜視図である。（実施例１）
【図２】  図１の釣糸圧迫保持機構の要部のみを断裁して示した正面図である。（実施例１）
【図３】  図１の実施例にて、釣針を緊締した後における他の仕掛け類の場合を使用状態例として示した斜視図である。（実施例１）
【図４】  巻取ドラムの鍔に設けた釣糸緊張機構のラチェット部の一部を、巻付周面側から見たものとして示す正面図である。（実施例１・実施例３）
【図５】  図４のラチェット部に係着させる緊張用ハンドルから延長した部分にあるラチェット部を示す正面図である。（実施例１・実施例３）
【図６】  図４と図５とを合体させたラチェット部の全体を示す正面図である。（実施例１・実施例３）
【図７】  図１の釣糸緊張機構の平面図である。（実施例１）
【図８】  本発明の釣糸圧迫保持機構の他の実施例の正面図である。（実施例２）
【図９】  本発明の逆転防止機構の実施例の正面図である。（実施例１・スライド台を除き実施例３）
【図１０】  本発明の他の実施例にて、使用状態で示した斜視図である。（実施例３）
【図１１】  図１０の釣糸圧迫保持機構を示した正面図である。（実施例３）
【図１２】  本発明の釣糸圧迫保持機構のサイドフック取付け手段についての実施例を示した斜視図である。（実施例４）
【図１３】  本発明の釣糸圧迫保持機構のフック取付け手段について、他の実施例にて示した斜視図である。（実施例５）
【符号の説明】
【００７６】  １  基板                            １６  緊張用ハンドル
２  筒体                            １７  爪外し杆
３  固定面体                        １８  逆転防止歯車
４  ネジ                            １９  釣糸緊張機構
５  移動圧迫面体                    ２０  突出腕
６  釣糸                            ２１  釣針引掛け部
７  透孔                            ２２  脚体
８  圧迫用ハンドル                  ２３  フック取付材
９  釣糸圧迫保持機構                ２４  輪状仕掛類
１０  巻取ドラム                      ２５  フック
１１  鍔の内側面                      ２６  サイドフック取付軸
１２  釣糸端留                        ２７  サイドフック
１３  ドラム回転支承軸                ２８  把握棒
１４  巻付周面                        ２９  スライド台用固定ネジ
１５  ラチェット部                    ３０  スライド台
【図１】
2009165458.tif 000003
【図２】
2009165458.tif 000004
【図３】
2009165458.tif 000005
【図４】
2009165458.tif 000006
【図５】
2009165458.tif 000007
【図６】
2009165458.tif 000008
【図７】
2009165458.tif 000009
【図８】
2009165458.tif 000010
【図９】
2009165458.tif 000011
【図１０】
2009165458.tif 000012
【図１１】
2009165458.tif 000013
【図１２】
2009165458.tif 000014
【図１３】
2009165458.tif 000015